(57)【要約】      （修正有）【課題】屋外線の支持線の引留めフックが、前記支持線に負荷される風圧によって家屋外壁からの脱落を比較的回避できる補助具を提供する。【解決手段】鋼線の屈曲体で成り、鋼線の中間部を円筒状に巻回して、家屋の壁面に突設した引留めフックに掛止する円筒状の巻回部１を設け、該巻回部１の両端から互いに反対方向にほぼ同長に角度を持たせて第一、第二の揺動杆２，３を延設し、該揺動杆２，３の先端を円筒状に互いに反対方向に巻回してばね部４，５をそれぞれ設け、前記第一揺動杆２側のばね部４から前記第二揺動杆３と並ぶ第一引っ掛け杆６を延設し、該第一引っ掛け杆６の中間部に屋外線の支持線を係止する鋭角状の屈曲部７を設ける。また、前記第二揺動杆３側のばね部５から第一揺動杆２と並べて第二引っ掛け杆８を延設し、該第二引っ掛け杆８と前記第一引っ掛け杆６のそれぞれの先端には互いに係離自在に引っ掛ける引っ掛け部９，１０を設ける。【選択図】図２
0003143806.tif 000002
【実用新案登録請求の範囲】
【請求項１】
鋼線の屈曲体で成り、鋼線の中間部を円筒状に巻回して、家屋の壁面に突設した引留めフックに掛止する円筒状の巻回部を設け、該巻回部の両端から互いに反対方向にほぼ同長に角度を持たせて第一、第二の揺動杆を延設し、該揺動杆の先端を円筒状に互いに反対方向に巻回してばね部をそれぞれ設け、前記第一揺動杆側のばね部から前記第二揺動杆と並ぶ第一引っ掛け杆を延設し、該第一引っ掛け杆の中間部に屋外線の支持線を係止する鋭角状の屈曲部を設けると共に、前記第二揺動杆側のばね部から第一揺動杆と並べて第二引っ掛け杆を延設し、該第二引っ掛け杆と前記第一引っ掛け杆のそれぞれの先端には互いに係離自在に引っ掛ける引っ掛け部を設けた、光ケーブル等の屋外線引留め用補助具。
【考案の詳細な説明】
【技術分野】
【０００１】
本考案は、光ケーブル等の屋外線を家屋に引留める際に用いる補助具に関するものである。
【背景技術】
【０００２】
例えば、光ケーブルを屋外線として家屋に引留める場合、家屋の外壁に装着した引留めフックに、引留め具本体になす環状係止リングを突設して構成した引留め具のなす環状係止リングを引っ掛け、引留め本体に設けた巻付け部に光ケーブルの支持線を巻き付け、該支持線と分離させた光ケーブル本体を家屋に引込むようにしている（例えば、特許文献１）。
【０００３】
【特許文献１】特開２００４−３４３８３４号公報
【考案の開示】
【考案が解決しようとする課題】
【０００４】
前記のようにケーブル等の屋外線を引留めた状態において、例えば、風圧が作用して屋外線に張力が生じると、該張力は家屋外壁に挿着した引留めフックに引留め具を介して負荷される。ところが、近年の家屋の外壁に用いられている、所謂新建材に引留めフックを止着した釘は、前記張力によって新建材で構成された外壁から容易に脱落し引留め状態を維持できない事例が認められるようになっている。
【０００５】
本考案は、斯様な事例に対処し、引留めフックの外壁からの脱落を比較的回避できる補助具を提供することを目的として案出したものである。
【課題を解決するための手段】
【０００６】
鋼線の屈曲体で成り、鋼線の中間部を円筒状に巻回して、家屋の壁面に突設した引留めフックに掛止する円筒状の巻回部を設け、該巻回部の両端から互いに反対方向にほぼ同長に角度を持たせて第一、第二の揺動杆を延設し、該揺動杆の先端を円筒状に互いに反対方向に巻回してばね部をそれぞれ設け、前記第一揺動杆側のばね部から前記第二揺動杆と並ぶ第一引っ掛け杆を延設し、該第一引っ掛け杆の中間部に屋外線の支持線を係止する鋭角状の屈曲部を設けると共に、前記第二揺動杆側のばね部から第一揺動杆と並べて第二引っ掛け杆を延設し、該第二引っ掛け杆と前記第一引っ掛け杆のそれぞれの先端には互いに係離自在に引っ掛ける引っ掛け部を設けた、構成とするのである。
【考案の効果】
【０００７】
本考案の補助具によれば、風圧によって支持線に張力が生じると、該張力によって伸展して張力の引留めフックに対する作用を吸収して引留めフックの外壁からの脱落を防ぐことができる。そして、伸展はばね部の弾性変形によって行われるから、張力が減少したときは原状に復帰し、従って、風圧に対処した耐久的な補助具を提供できる。
【実施例】
【０００８】
図面は本考案に係る光ケーブル等の屋外線引留め用補助具の一実施例を示し、図１は正面図、図２は図１の平面図、図３は使用状態を示す正面図、図４は図３の平面図である。
【０００９】
図中、Ａは本考案に係る屋外線引留め用補助具で、補助具Ａは、鋼線を屈曲して形成した鋼線屈曲体で成り、鋼線の中間部を、二重に巻回して円筒状とした巻回部１の両端から互いに反対方向に略同長に角度をもたせて（１８０°方向ではなく）第一、第二の揺動杆２，３を延設し、該第一、第二の揺動杆２，３の先端を、前記巻回部１より小径な円形で二重に巻回してばね部４，５を設け、第一揺動杆２側のばね部４から前記第二揺動杆３と並ぶ第一引っ掛け杆６を延設し、該第一引っ掛け杆６の中間部を、第二揺動杆３側の前記ばね部５方向に鋭角状に屈曲して屋外線の支持線を係止する屈曲部７を設け、更に、前記第二揺動杆３側のばね部５から第一揺動杆２と並べて第二引っ掛け杆８を延設し、該第二引っ掛け杆８と第一引っ掛け杆６のそれぞれの先端を鉤状に屈曲して、互いに係離自在に引っ掛ける引っ掛け部９，１０として構成したものである。
【００１０】
図３および図４は、補助具Ａの使用例を示し、図中１１は家屋の外壁ｗに釘着した引留めフックで、該引止めフック１１に補助具Ａの、巻回部１を、該巻回部１と相対向する位置に存する屈曲部７には屋外線引留め具１２の係止リング１２ａ´をそれぞれ引っ掛け、すなわち、引留めフック１１と引留め具１２との間に介在させて用いるのである。
【００１１】
そして、末端を引留め具１２に引留めさせたケーブルの支持線ａに風圧が作用して張力が働くと、補助具Ａを介してその張力が引留めフック１１に作用したとき、補助具Ａの巻回部１と屈曲部７に互いに反対方向の張力が作用することになり、その結果、補助具Ａは弾性変形して伸び、張力が引留めフック１１を止着した釘ｎに直接作用することを防ぎ、いわば緩衝効果が生じて引留めフック１１の外壁ｗからの離脱を防ぐことができるのである。
【００１２】
なお、ばね部４，５を鋼線を二重に巻回して構成してあるが、複数の巻回数であればばね性（弾性）が生じて、風圧の正圧、負圧に追従できるから、必ずしも二重である必要はない。
【００１３】
また、実施例に用いた引留め具１２は、基盤の片面に複数個の巻付け部１２ｂ´を突設して留め具本体１２ｂを構成し、該留め具本体（樹脂製）１２ｂの巻付け部１２ｂ´に支持線ａを巻き付けて留め具本体より突出させた鋼線より成る係止体１２ａの先端に係止リング１２ａ´を、屋外線を引留める家屋に設けた引留めフック１１に引っ掛けて屋外線に張力が作用しないよう該屋外線を引留めるために用いるもので、前記文献を挙げるまでもなく公知である。もっとも、本考案に係る補助具は、支持線と該支持線の端末を引留める、家屋側の、フックで代表される引留め材との間に介在して張力に対して緩衝機能をなせば良いのであるから、前記公知の引留め具と併用しなくとも良い。
【図面の簡単な説明】
【００１４】
【図１】正面図。
【図２】図１の平面図。
【図３】使用状態を示す正面図。
【図４】図３の平面図。
【符号の説明】
【００１５】
１          巻回部
２          第一揺動杆
３          第二揺動杆
４          ばね部
５          ばね部
６          第一引っ掛け杆
７          屈曲部
８          第二引っ掛け杆
９，１０    引っ掛け部
【図１】
0003143806.tif 000003
【図２】
0003143806.tif 000004
【図３】
0003143806.tif 000005
【図４】
0003143806.tif 000006